(57)【要約】【課題】フック部外れ防止装置において、簡便な構造でフック部同士の係り合いの外れを防止する。【解決手段】フック部外れ防止装置１は、フック２をその両側方から挟み込む第１のプレート４と第２のプレート５とから成る一対の挟持プレート６と、挟持プレート６を互いに係止するボルト７及びナット８とを備える。第１のプレート４は、根本部２３を挿通させるための切欠き４１と、リンク３の上部を挿通させるための切欠き４２とを有する。第２のプレート５は、リンク３の上部を挿通させるための切欠き５１を有する。フック２を双方プレート４、５で挟み込み、双方のプレート４、５を互いに係止させると、切欠き４１にフック２の根本部２３が挿通され、双方のプレート４、５がフック２に固定される。このとき、切欠き４２と切欠き５１により、リンク３が鉤形状部２１の線形に沿う方向に変位することが規制される。【選択図】図２
2009204015.tif 000002
【特許請求の範囲】
【請求項１】
線材を加工して成る一組のフック部同士の係り合いの外れを防止するフック部外れ防止装置であって、
一方のフック部は、他方のフック部が係り合わせられるように鉤形状とされ、
前記一方のフック部の両側方から挟み込む少なくとも一対の挟持プレートと、
前記一対の挟持プレートを互いに係止する係止部材とを備え、
前記挟持プレートは、前記一方のフック部の根本部を挿通させるための第１の切欠きと、前記他方のフック部を挿通させるための略Ｕ字形状の第２の切欠きとを有していることを特徴とするフック部外れ防止装置。
【発明の詳細な説明】
【技術分野】
【０００１】
本発明は、物体の吊り下げに使用され、線材を加工して成る一組のフック部同士の係り合いの外れを防止するフック部外れ防止装置に関する。
【背景技術】
【０００２】
この種のフック部において、一方のフック部は、他方のフック部（例えば、チェーン）が係り合わせられるように鉤形状とされており、互いの係り合わせを容易にしている。ところが、係り合わせた部材が簡単に外れてしまうことがある。そこで、従来より、フック部同士の係り合いの外れを防止するフック部防止装置が知られている。例えば、この種の装置として、フックの凹入部に嵌合する突出部が形成された一方の板体と、この板体と組み合わされてフックを挟み込む他方の板体とを備え、双方の板体がワイヤー等を挿通するための切欠きを有したものがある（特許文献１参照）。また、フック自体に係り合いの外れを防止する機能を備えたものとして、ストッパー付きフックがある（例えば、特許文献２及び特許文献３参照）。
【特許文献１】実開昭５７−１３５５７３号公報
【特許文献２】特開２０００−１６７０７７号公報
【特許文献３】実開平５−５７４２１号公報
【発明の開示】
【発明が解決しようとする課題】
【０００３】
しかしながら、上述したようなフック部外れ防止装置では、双方の板体をフックに係止した後、双方の板体がフックに対して回転しないように、周り止めボルトを取り付ける必要があり手間がかかる。また、上述のストッパー付きフックは、構造が複雑であると共に、既存のフックに取り付けることにより上記係り合いの外れを防止するものではないため、使い勝手が悪い。
【０００４】
本発明は、上記問題を解決するためになされたものであり、簡便な構造でありながら、フック部同士の係り合いの外れを防止できるフック部外れ防止装置を提供することを目的とする。
【課題を解決するための手段】
【０００５】
上記目的を達成するために請求項１の発明は線材を加工して成る一組のフック部同士の係り合いの外れを防止するフック部外れ防止装置であって、一方のフック部は、他方のフック部が係り合わせられるように鉤形状とされ、前記一方のフック部の両側方から挟み込む少なくとも一対の挟持プレートと、前記一対の挟持プレートを互いに係止する係止部材とを備え、前記挟持プレートは、前記一方のフック部の根本部を挿通させるための第１の切欠きと、前記他方のフック部を挿通させるための略Ｕ字形状の第２の切欠きとを有しているものである。
【発明の効果】
【０００６】
請求項１の発明によれば、フック部同士が互いに係り合わされた状態で、一方のフック部を一対の挟持プレートで挟み込み、当該挟持プレートを互いに係止させると、第１の切欠きにフック部の根本部が挿通されることにより、挟持プレートが一方のフック部に固定される。このとき、第２の切欠きに他方のフック部が挿通されることにより、一方のフック部が他方のフック部に対して変位することが規制される。そのため、簡単な取り付け作業で、フック部同士の係り合いの外れを防止することができる。また、フックに別段の加工を行なう必要がなく使い勝手がよい。また、簡素な構造であるので、低コスト化が図れる。
【発明を実施するための最良の形態】
【０００７】
（第１の実施形態）
本発明の第１の実施形態に係るフック部外れ防止装置について図１及び図２を参照して説明する。図１及び図２は本実施形態に係るフック部外れ防止装置１の概略構成を示す。フック部外れ防止装置（以下、本装置という）１は、線材を加工して成る一組のフック部同士が係り合わされたときに、一方のフック部であるフック２と他方のフック部であるチェーンのリンク３との係り合いの外れを防止するものである。フック２は、リンク３が係り合わせられるように、先端側が略Ｃ字の鉤形状とされており、鉤形状部２１と、鉤形状部２１に連接される基端部２２と、鉤形状部２１と基端部２２の間の根本部２３で構成される。リンク３は、環形状とされており、複数のリンク３が互いに組み合わされてチェーン３１を構成する。フック２及びチェーン３１は、例えば、照明器具の吊り下げのために使用される。この場合、フック２の基端部２２は室内の天井部分と接続され、フック２に係り合わされる側とは反対側にあるチェーン３１のリンク（図示しない）は照明器具に接続される。
【０００８】
本装置１は、フック２をその両側方から挟み込む第１のプレート４と第２のプレート５とから成る一対の挟持プレート６と、一対の挟持プレート６を互いに係止するボルト７及びナット８（係止部材）とを備える。
【０００９】
第１のプレート４は、フック２の根本部２３を挿通させるための切欠き（第１の切欠き）４１と、フック２に係り合わされたリンク３を挿通させるための切欠き（第２の切欠き）４２とを有している。切欠き４１は、フック２を挟み込むときにフック２の側方に対向する側板４３に対し、略直角に折り曲げられた天板４４に形成されている。切欠き４２は、リンク３の上部が挿通可能なように、側板４３の下側に略Ｕ字状に形成されている。第１のプレート４の側板４３の略中央部には、ボルト７を挿通するための孔４５が形成されている。第２のプレート５は、リンク３を挿通させるための切欠き（第２の切欠き）５１を有しており、切欠き５１は、第１のプレート４の切欠き４２と同様に形成されている。第２のプレート５の略中央部には、ボルト７を挿通するための孔５２が形成されている。
【００１０】
次に、上記のように構成されたフック部外れ防止装置１の作用について説明する。フック２にリンク３が係り合わされた状態で、フック２を第１のプレート４と第２のプレート５で挟み込み、ボルト７及びナット８で双方のプレート４、５を互いに係止させると、切欠き４１にフック２の根本部２３が挿通されることにより、双方のプレート４、５がフック２に固定される。このとき、切欠き４２と切欠き５１にリンク３の上部が挿通されることにより、リンク３がフック２の鉤形状部２１の線形に沿う方向（図２に示すＡ方向）に変位することが規制される。
【００１１】
以上、本実施形態に係るフック部外れ防止装置１によれば、簡単な取り付け作業で、フック２とリンク３との係り合いの外れを防止できる。また、フック２に別段の加工を行なう必要がなく、使い勝手がよい。また、簡素な構造であるので、低コストで本装置を製造できる。
【００１２】
（第２の実施形態）
本発明の第２の実施形態に係るフック部外れ防止装置について図３及び図４を参照して説明する。図３及び図４は本実施形態に係るフック部外れ防止装置１の概略構成を示す。本装置１は、他方のフック部が、上述のフック２と同形状のフック９とされた場合において、フック２、９同士の係り合いの外れを防止するものである。
【００１３】
第１のプレート４は、フック２の根本部２３を挿通させるための切欠き４１（第１の切欠き）と、フック２に係り合わされたフック９を挿通させるための切欠き（第２の切欠き）４２とを有しており、切欠き４１と切欠き４２は、上述と同様に形成されている。また、第１のプレート４は、切欠き４２とは別に、フック９を挿通させるための切欠き（第２の切欠き）４６を有している。ここで、第１のプレート４の下端側は、側板４３に対して略コ字状に折り曲げられており、上記切欠き４６は、側板４３と側板４３に対向する板７７の間にフック９の基端部９２を挟み込めるように、側板４３と板７７に介在する底板７８に略Ｕ字状に形成されている。第２のプレート５は、フック９を挿通させるための切欠き（第２の切欠き）５１を有しており、切欠き５１は、上述と同様に形成されている。その他の構成については、上述と同様である。
【００１４】
次に、上記のように構成されたフック部外れ防止装置１の作用について説明する。フック２、９が互いに係り合わされた状態で、フック２を第１のプレート４と第２のプレート５で挟み込み、双方のプレート４、５を互いに係止させると、切欠き４１にフック２の根本部２３が挿通され、双方のプレート４、５がフック２に固定される。このとき、切欠き４２と切欠き５１により、フック９がフック２の鉤形状部２１の線形に沿う方向（図４に示すＡ方向）に変位することが規制される。また、切欠き４６により、フック９が上記方向と略直交するように交わる方向（図４に示すＢ方向）に変位することが規制される。そのため、簡単な取り付け作業で、フック２、９同士の係り合いの外れを防止できる。
【００１５】
なお、本発明は、上記各種実施形態の構成に限られず、発明の趣旨を変更しない範囲で種々の変形が可能である。例えば、第１のプレート４と第２のプレート５を互いに係止する際、ボルト７の締めすぎによって双方のプレート４、５が内方に変形しないように、第１のプレート４と第２のプレート５の間にボルト７が挿通可能なスリーブを設けたものであってよい。また、ボルト７の代わりに、第２のプレート５側に突出するねじ棒を第１のプレート４に設けて、このねじ棒にナット８を螺合させることにより、双方のプレート４、５を係止するようにしたものであってもよい。
【図面の簡単な説明】
【００１６】
【図１】本発明の第１の実施形態に係るフック部外れ防止装置を示す分解斜視図。
【図２】上記フック部外れ防止装置を示す組立斜視図。
【図３】本発明の第２の実施形態に係るフック部外れ防止装置を示す分解斜視図。
【図４】上記フック部外れ防止装置を示す組立斜視図。
【符号の説明】
【００１７】
１  フック部外れ防止装置
２  フック（一方のフック部）
３  リンク（他方のフック部）
４  第１のプレート
５  第２のプレート
６  挟持プレート
７  ボルト（係止部材）
８  ナット（係止部材）
９  フック（他方のフック部）
４１  切欠き（第１の切欠き）
４２  切欠き（第２の切欠き）
４６  切欠き（第２の切欠き）
５１  切欠き（第２の切欠き）
【図１】
2009204015.tif 000003
【図２】
2009204015.tif 000004
【図３】
2009204015.tif 000005
【図４】
2009204015.tif 000006